(57)【特許請求の範囲】
【請求項１】
開口部を有する、巻線を有さない磁気トロイダルコア（２）と、
スナップフィット機構によって当該トロイダルコアハウジング内で前記トロイダルコア（２）が固定されるトロイダルコアハウジング（３）と
を有するフィルタ構成要素であって、
前記スナップフィット機構が、前記トロイダルコアハウジング（３）内の前記トロイダルコア（２）の前記開口部の長手軸線の方向に前記トロイダルコア（２）を挿入することができるよう設定されていて、
当該フィルタ構成要素（１）が、前記トロイダルコアハウジング（３）内に固定されたトロイダルコア（２）の前記開口部を通して巻線なしに導線（１０４）を延在させることができるように設定されていて、
前記スナップフィット機構が１つ又はいくつかの可動レバー（１２）を有し、前記トロイダルコア（２）が前記トロイダルコアハウジング（３）に対して押圧されるときに複数のクランプが開放し、前記可動レバー（１２）が係合した後、これらクランプが前記トロイダルコア（２）を保持するように前記可動レバーが形成されている
ことを特徴とするフィルタ構成要素。
【請求項２】
前記トロイダルコアが中空円筒の形状を有し、前記トロイダルコア（２）が前記トロイダルコアハウジング（３）に対して押圧されるときに前記トロイダルコア（２）の前記開口部の長手軸線から離れるように径方向へ前記クランプが開放するように前記可動レバー（１２）が形成されていることを特徴とする請求項１記載のフィルタ構成要素。
【請求項３】
前記トロイダルコア（２）が、該トロイダルコア（２）に適合する前記トロイダルコアハウジング（３）の凹部内に配置されていることを特徴とする請求項１又は２のいずれか１項に記載のフィルタ構成要素。
【請求項４】
前記トロイダルコアハウジング（３）が、前記トロイダルコア（２）の壁部をその開口部において覆う内壁部（９）と、前記開口部の反対側で前記トロイダルコア（２）の外壁部を覆う外壁部（１１）とを有していることを特徴とする請求項１から３のいずれか１項に記載のフィルタ構成要素。
【請求項５】
前記トロイダルコア（２）の前記開口部の長手軸線（８）に対して平行に配置された、前記トロイダルコアハウジング（３）の固定のための第１の固定面（６）を前記トロイダルコアハウジング（３）が有していることを特徴とする請求項１から４のいずれか１項に記載のフィルタ構成要素。
【請求項６】
前記トロイダルコア（２）の前記開口部の長手軸線（８）に対して平行に配置された、更なる構成要素（１０３）の固定のための第２の固定面（７）を前記トロイダルコアハウジング（３）が有していることを特徴とする請求項５記載のフィルタ構成要素。
【請求項７】
前記第１の固定面（６）が前記第２の固定面（７）に対して平行に配置されていることを特徴とする請求項６記載のフィルタ構成要素。
【請求項８】
前記第１の固定面（６）及び／又は前記第２の固定面（７）が固定手段のための複数の孔（１３，２０）を有していることを特徴とする請求項５から７のいずれか１項に記載のフィルタ構成要素。
【請求項９】
前記第１の固定面（６）が、前記トロイダルコアハウジング（３）の設置面積を増大させるために突出した４つの脚部（１４）を有しており、前記トロイダルコアハウジング（３）が前記トロイダルコア（２）を挿入するためのトロイダルコア側（４）と、該トロイダルコア側（４）とは反対側のトロイダルコア背側（５）とを有しており、前記トロイダルコア側（４）が前記開口部の長手軸線（８）の方向へ突出する２つの脚部（１４）を有し、前記トロイダルコア背側（５）が、前記開口部の長手軸線（８）の方向へ突出する、前記トロイダルコア側（４）の前記２つの脚部（１４）に対してずらして配置された２つの脚部（１４）を有しており、前記トロイダルコア側（４）が、前記各脚部（１４）の収容のために前記トロイダルコア背側（５）の前記２つの脚部（１４）の反対側に配置された２つの脚凹部（１５）を有し、前記トロイダルコア背側（５）が、前記各脚部（１４）の収容のために前記トロイダルコア側（４）の前記２つの脚部（１４）の反対側に配置された２つの脚凹部（１５）を有していることを特徴とする請求項５から８のいずれか１項に記載のフィルタ構成要素。
【請求項１０】
前記トロイダルコアハウジング（３）が、前記トロイダルコアを挿入するためのトロイダルコア側（４）と、該トロイダルコア側（４）とは反対側のトロイダルコア背側（５）とを有しており、当該フィルタ構成要素（１）がその前記トロイダルコア側（４）で同一の構造の別のフィルタ構成要素（１）のトロイダルコア背側（５）に接合して配置されている場合に前記トロイダルコア（２）の前記開口部の長手軸線（８）に対する２つの当該フィルタ構成要素（１）の径方向の動きが完全な嵌合によって阻止されるように前記トロイダルコアハウジング（３）の前記トロイダルコア側（４）及び前記トロイダルコア背側（５）が設定されていることを特徴とする請求項１から９のいずれか１項に記載のフィルタ構成要素。
【請求項１１】
当該フィルタ構成要素（１）がその前記トロイダルコア側（４）で同一の構造の別のフィルタ構成要素（１）のトロイダルコア背側（５）に接合して配置されている場合に１つの位置においてのみ配置が可能であるように前記トロイダルコアハウジング（３）の前記トロイダルコア側（４）及び前記トロイダルコア背側（５）が設定されていることを特徴とする請求項１０記載のフィルタ構成要素。
【請求項１２】
前記トロイダルコアハウジング（３）の前記トロイダルコア側（４）及び前記トロイダルコア背側（５）がそれぞれスナップフィット要素（１７，１８）を有しており、これらスナップフィット要素は、当該フィルタ構成要素（１）がその前記トロイダルコア側（４）で同一の構造の別のフィルタ構成要素（１）のトロイダルコア背側（５）に接合して配置されている場合に当該フィルタ構成要素と同一構造のフィルタ構成要素の間にスナップフィット結合を形成することを特徴とする請求項１０又は１１記載のフィルタ構成要素。
【請求項１３】
トロイダルコア（２）及びトロイダルコアハウジング（３）をそれぞれ有する請求項１から１２のいずれか１項に記載のフィルタ構成要素を複数有するフィルタアセンブリであって、前記各トロイダルコアハウジング（３）が、トロイダルコア側（４）と、該トロイダルコア側（４）とは反対側のトロイダルコア背側（５）とを有しており、複数の前記フィルタ構成要素が重ねられて配置されており、その結果、前記フィルタ構成要素（１）のうち１つの前記トロイダルコア側（４）が、当接する前記フィルタ構成要素（１）の前記トロイダルコア背側（５）に当接することを特徴とするフィルタアセンブリ。
【請求項１４】
固定要素（１０２）と、
該固定要素（１０２）に固定された、請求項１から１２のいずれか１項に記載の少なくとも１つのフィルタ構成要素又は請求項１３記載のフィルタアセンブリ（１００）と、
前記少なくとも１つのフィルタ構成要素（１）又は前記フィルタアセンブリ（１００）の前記各トロイダルコア（２）の前記開口部を通って巻線を有さずに延在し得る導線（１０４）と
を有することを特徴とするシステム。
【請求項１５】
請求項１３記載のフィルタアセンブリ（１００）又は請求項１から１２のいずれか１項に記載のフィルタ構成要素（１）を固定要素（１）に固定するステップと、
前記フィルタアセンブリ（１００）又は前記フィルタ構成要素（１）の固定後に１つ又は１つ以上の前記トロイダルコア（２）を通して導線を延在させるステップと
を行うことを特徴とする方法。
【発明の詳細な説明】
【技術分野】
【０００１】
本発明は、巻線を有さないか（ｗｉｎｄｉｎｇｌｅｓｓ）、又はコイルレスのトロイダルコアを有するフィルタ構成要素、複数のフィルタ構成要素を有するフィルタアセンブリ、フィルタアセンブリ及び各フィルタ構成要素についてのフィルタアセンブリの固定のための方法に関するものである。
【背景技術】
【０００２】
コイル状の、又は巻線を有さないトロイダルコアは、しばしばフィルタにおいて使用されている。
【０００３】
コイル状のトロイダルコアは、しばしば固定要素、例えば基板又はベースプレートに固置されたハウジングを必要とする。さらに、これらコイル状のトロイダルコアは、しばしば導線をトロイダルコアの巻線に接続するためのコネクタを必要とする。特許文献１〜９には、リングコアの開口部の長手軸線の方向へハウジング内に挿入された巻線を有するこのようなトロイダルコアが開示されている。特許文献９では、リングコアがスナップフィット（ｓｎａｐ−ｆｉｔ）機構によってハウジング内に保持されている。
【０００４】
これに代えて、巻線を有さないトロイダルコア又はリングコアが使用される。これらは、それぞれトロイダルコアの開口部を通って単純に延在するため、特に単純なものであり、トロイダルコアは導線の周囲で閉じられている。そして、トロイダルコアは、導線に固定されている。通常、これは、トロイダルコアを導線に成形することでなされる。しかしながら、導線へのトロイダルコアのこのような成形は、手間がかかるものである。
【０００５】
これに代えて、圧縮によって導線の周囲に固定された２つの中空円筒半部から成る折りたたみコアが存在する。しかしながら、これら折りたたみコアは、その製造が複雑であるとともに、各コアサイズについての新たな折りたたみコアを必要とする。特許文献１０〜１７にはこのような折りたたみコアが開示されており、各コア半部は、その閉じた状態において導線を包囲する折りたたみ可能なハウジング内のスナップオン機構によって固定されている。
【０００６】
特許文献１８には巻線を有さない複数のトロイダルコアが開示されており、これらトロイダルコアは、それぞれのハウジング内に取り付けられている。これらハウジングが連結されているため、異なるサイズのトロイダルコアを互いにモジュール式に組み立てることができる。しかしながら、ハウジングにおけるトロイダルコアの取付は、時間がかかるとともに複雑である。なぜなら、トロイダルコアがハウジングカバーによって保持されており、この取付が複雑である一方、これにつづくハウジングへのハウジングの連結が必要であるためである。加えて、トロイダルコアは何らかの方法で導線に固定される必要があり、この方法は、複雑かつ時間のかかるものでもある。
【先行技術文献】
【特許文献】
【０００７】
【特許文献１】欧州特許出願公開第０６５０１７２号明細書
【特許文献２】中国特許出願公開第２０２７７１８９６号明細書
【特許文献３】仏国特許出願公開第２１４７８１６号明細書
【特許文献４】欧州特許出願公開第１８０７８４７号明細書
【特許文献５】中国特許出願公開第１０３６８０８４８号明細書
【特許文献６】中国特許出願公開第２０２７３２４７１号明細書
【特許文献７】独国特許出願公開第６９４０７７２８号明細書
【特許文献８】独国特許出願公開第１０２００４０２５１１４号明細書
【特許文献９】独国実用新案第９４１２１０７号明細書
【特許文献１０】特開平０８−１６７５２４号公報
【特許文献１１】米国特許出願公開第６１１８０７７号明細書
【特許文献１２】独国特許出願公開第４２２３０４４号明細書
【特許文献１３】特開２００７−２６６２１４号公報
【特許文献１４】米国特許出願公開第５５０６９０９号明細書
【特許文献１５】欧州特許出願公開第２７５３１６１号明細書
【特許文献１６】米国特許出願公開第２０１３０２２２１０３号明細書
【特許文献１７】独国特許出願公開第１９７３０１０８号明細書
【特許文献１８】特開平０７−２３０９１５号公報
【発明の概要】
【発明が解決しようとする課題】
【０００８】
本発明の目的は、容易に製造され、モジュール式に用いることが可能であり、及び／又は容易に取り付けられる、巻線を有さないトロイダルコアを有するフィルタ構成要素を見出すことにある。
【課題を解決するための手段】
【０００９】
１つの実施例においては、この目的は、開口部を有する、巻線を有さない磁気トロイダルコアと、スナップフィット機構によって当該トロイダルコアハウジング内でトロイダルコアが固定されるトロイダルコアハウジングとを有するフィルタ構成要素によって達成される。この点で、フィルタ構成要素は、コアの周囲に巻線を有さずにトロイダルコアハウジングに固定されるトロイダルコアの開口部を通して導線がガイドされるように実施される。
【００１０】
スナップオン機構により、導線へのトロイダルコアの成形を必要とすることなくフィルタ構成要素の単純な組立が可能となる。加えて、トロイダルコアは、ハウジングを介して固定要素に固定されることができ、導線は、後の段階においてトロイダルコアの開口部を通して延在することも可能である。しかしながら、フィルタ構成要素は、いくつかのケースにおいて導線に設けられることも当然可能である。
【００１１】
一実施例においては、上記目的は、開口部を有する、巻線を有さない磁気トロイダルコアと、当該トロイダルコアハウジング内でトロイダルコアが固定されるトロイダルコアハウジングとを有するフィルタ構成要素によって達成される。そして、トロイダルコアハウジングは、固定面を有しており、この固定面を用いることで、フィルタ構成要素を水平面に固定することができる。
【００１２】
固定面のおかげで、巻線を有さないトロイダルコアのハウジングを、固定要素に直接固定することができ、導線に固定する必要がなくなる。これにより、トロイダルコアのための手間のかかる成形又は複雑な折りたたみ機構が不要となる。特に、導線がトロイダルコアハウジングにおけるトロイダルコアの開口部を通してゆるく延在することができることにより、フィルタをあらかじめ堅固に取り付けるとともに、導線を組立中にのみトロイダルコアの開口部を通して引張るか、又は挿入することが可能となる。これにより、トロイダルコアのためのより単純な組立手順がもたらされる。
【００１３】
一実施例においては、上記目的は複数のフィルタ構成要素を有するフィルタアセンブリによって達成される。各フィルタ構成要素は、開口部を有する、巻線を有さない磁気トロイダルコアと、該トロイダルコアを固定するためのトロイダルコアハウジングとを有している。これらフィルタ構成要素は、フィルタ構成要素の磁気トロイダルコアの開口部が導線のための１つの貫通開口部を備えるように互いに並んで配置されている。
【００１４】
このようなフィルタアセンブリにより、フィルタ構成要素を次々に配置することで同一のフィルタ構成要素によってモジュラー式にトロイダルコアを拡張することが可能となる。同時に、フィルタアセンブリの各フィルタ構成要素は、個々にそのトロイダルコアハウジングによって固定されることが可能である。したがって、取り付けられたフィルタアセンブリは、他のフィルタ構成要素を取り外すことなく、更なるフィルタ構成要素を加えることで拡張されることも可能である。したがって、同様に、フィルタアセンブリも複数のフィルタ構成要素のうち１つを取り外すことによって減少させることも可能である。このためには、１つのフィルタ構成要素を切り離すのみで足りる。特に、このことは、上述のようにトロイダルコアハウジングにおけるスナップオントロイダルコアとの組合せにおいて有利である。明らかに、トロイダルコアはトロイダルコアハウジングにおいて他の方法で、例えば隣接するフィルタ構成の押圧又はクランプ機構によって固定することも可能である。各トロイダルコアのためのハウジングを用いることは、トロイダルコアの異なる数量に対して異なるハウジングを準備する必要がないという更なる利点を有するものである。
【００１５】
一実施例においては、上記目的はシステムを用いることで達成される。このシステムは、固定要素と、少なくとも１つの上述のフィルタ構成要素又は上述のフィルタアセンブリの１つとを有している。少なくとも１つのフィルタ構成要素又はフィルタアセンブリは、固定要素に固定されている。このシステムは、少なくとも１つのフィルタ構成要素又はフィルタアセンブリの各トロイダルコアの開口部を通って巻線を有さずに延在し得る導線を更に有する。
【００１６】
一実施例においては、上記目的は、上述のフィルタアセンブリ又は上述のフィルタ構成要素を固定要素に固定するステップと、フィルタアセンブリ又はフィルタ構成要素の固定後に１つ若しくは複数のトロイダルコアの開口部を通して導線を延在させるステップとを行う方法によって達成される。
【００１７】
ハウジングにより巻線を有さないトロイダルコアの固定要素に対する固定の着想により、特に多数のトロイダルコアに対して、導線へのトロイダルコアの手間のかかる結合が回避される。同時に、このシステムを、導線がトロイダルコアを通して延在する前にあらかじめ完全に取り付けることが可能である。
【００１８】
他の有利な実施例は、従属請求項に示されている。
【００１９】
一実施例では、スナップフィット式の機構が、トロイダルコアハウジング内のトロイダルコアのための開口部の長手軸線の方向にトロイダルコアを挿入することができるよう設定されている。
【００２０】
一実施例においては、スナップオン機構がいくつかの弾性的なクランプを有しており、これらクランプは、トロイダルコアハウジングに対してトロイダルコアが押圧されるときに開放し、これらクランプが係合後にトロイダルコアを保持するように形成されている。
【００２１】
一実施例では、トロイダルコアは、トロイダルコアに適合するトロイダルコアハウジングの凹部内に配置されている。
【００２２】
一実施例においては、トロイダルコアハウジングが、トロイダルコアの壁部をその開口部において覆う内壁部と、開口部の反対側でトロイダルコアの外壁部を覆う外壁部とを有している。このようにして、トロイダルコアが導線に対して及び外側へ向けて絶縁される。
【００２３】
一実施例では、トロイダルコアの開口部の長手軸線に対して平行に配置された、トロイダルコアハウジングの固定のための第１の固定面をトロイダルコアハウジングが有している。
【００２４】
一実施例においては、トロイダルコアの開口部の長手軸線に対して平行に配置された、更なる構成要素の固定のための第２の固定面をトロイダルコアハウジングが有している。
【００２５】
一実施例では、第１の固定面が第２の固定面に対して平行に配置されている。
【００２６】
一実施例においては、第１の固定面及び／又は第２の固定面が固定手段のための複数の孔を有している。好ましくは、固定手段はリベット又はネジである。一実施例において、孔は、リベットの固定及びネジの固定のためのナットの挿入の両方に適したものである。
【００２７】
一実施例では、第１の固定面が固定手段のための２つの孔と、設置面積を増大させるための４つの脚凹部とを有している。
【００２８】
一実施例においては、トロイダルコアハウジングがトロイダルコアを挿入するためのトロイダルコア側と、該トロイダルコア側とは反対側のトロイダルコア背側とを有しており、トロイダルコア側が開口部の長手軸線の方向へ突出する２つの脚部を有し、トロイダルコア背側が、開口部の長手軸線の方向へ突出する、トロイダルコア側の２つの脚部に対してずらして配置された２つの脚部を有しており、トロイダルコア側が、各脚部の収容のためにトロイダルコア背側の２つの脚部の反対側に配置された２つの脚凹部を有し、トロイダルコア背側が、各脚部の収容のためにトロイダルコア側の２つの脚部の反対側に配置された２つの脚凹部を有している。したがって、トロイダルコアハウジングの積み重ねにおけるトロイダルコアハウジングの有効幅を増やすことなく各トロイダルコアハウジングの設置面積を増やすことができる。同時に、脚部の係合凹部は、トロイダルコアハウジングから次のものへの軸方向力の伝達を可能とするものである。これにより、モジュラー式に互いに接続されたトロイダルコアハウジングが安定化する。
【００２９】
一実施例では、トロイダルコアハウジングが、トロイダルコアを挿入するためのトロイダルコア側と、該トロイダルコア側とは反対側のトロイダルコア背側とを有しており、当該フィルタ構成要素が同一の構造の当該フィルタ構成要素のトロイダルコア背側に関してトロイダルコア側と共に配置されている場合にトロイダルコアの開口部の長手軸線に関する２つの当該フィルタ構成要素の径方向の動きが完全な嵌合によって阻止されるようにトロイダルコアハウジングのトロイダルコア側及びトロイダルコア背側が設定されている。
【００３０】
一実施例においては、フィルタ構成要素が同一の構造の当該フィルタ構成要素のトロイダルコア背側に関してトロイダルコア側と共に配置されている場合に１つの位置においてのみ配置が可能であるようにトロイダルコアハウジングのトロイダルコア側及びトロイダルコア背側が設定されている。
【００３１】
一実施例では、トロイダルコアハウジングのトロイダルコア側及びトロイダルコア背側がそれぞれスナップ係合要素を有しており、これらスナップ係合要素は、当該フィルタ構成要素が同一の構造の当該フィルタ構成要素のトロイダルコア背側に関してトロイダルコア側と共に配置されている場合に当該フィルタ構成要素と同一構造のフィルタ構成要素の間にスナップ係合結合を形成する。
【００３２】
フィルタアセンブリの一実施例においては、複数のフィルタ構成要素が同一の構造となっている。このようにして、フィルタ構成要素をつなぎ合わせることで、１つのフィルタ構成要素のタイプを用いていかなるサイズのトロイダルコアも組み立てることが可能である。
【００３３】
システムの一実施例では、導線は、少なくとも１つのフィルタ構成要素又は導線がそれぞれに結ばれていないところのフィルタアセンブリに固定されていない。
【００３４】
システムの一実施例においては、フィルタアセンブリが中間プレートに固定されており、この中間プレートは、固定要素に固定されている。
【００３５】
システムの一実施例では、少なくとも１つのフィルタ構成要素又はフィルタアセンブリが固定のための孔を有しているとともに、フィルタアセンブリの少なくとも１つのフィルタ構成要素が、これら孔を通してリベット又はネジを用いて固定要素又は中間プレートに固定されている。
【００３６】
本発明を、添付の図面に基づいてより詳細に説明する。
【図面の簡単な説明】
【００３７】
【図１】本発明による構成要素の一実施例の第１の三次元的な図である。
【図２】本発明による構成要素の一実施例の第２の三次元的な図である。
【図３】本発明によるアセンブリの一実施例の第１の側面図である。
【図４】本発明によるアセンブリの一実施例の第２の側面図である。
【図５】本発明によるアセンブリの一実施例の第３の側面図である。
【図６】本発明によるアセンブリの一実施例の第４の側面図である。
【図７】本発明によるアセンブリの一実施例の図３におけるＡ−Ａ線に沿った断面図である。
【図８】本発明によるアセンブリの一実施例の図３におけるＢ−Ｂ線に沿った断面図である。
【図９】本発明によるアセンブリの一実施例の図４におけるＤ−Ｄ線に沿った断面図である。
【図１０】フィルタアセンブリを有するフィルタを示す図である。
【発明を実施するための形態】
【００３８】
図１及び図２には、本発明によるフィルタ構成要素１の一実施例の２つの三次元的な図が示されている。図３〜図９には、本発明によるフィルタアセンブリ１００の一実施例の異なる方向からの図及び部分が示されている。図１０には、フィルタグループ１００を有するフィルタが示されている。
【００３９】
フィルタグループは、複数のフィルタ構成要素１を有している。図３〜図９に示されるフィルタアセンブリ１００は、２つのフィルタ構成要素１を有している。しかしながら、フィルタグループ１００は他の数量のフィルタ構成要素１を有することが可能である。フィルタグループ１００は、フィルタ構成要素１とは異なる本発明によるフィルタも有することが可能である。しかしながら、図３〜図９に示される実施例はフィルタ構成要素１である。この実施例において、フィルタアセンブリは、同一の構造のフィルタ構成要素１を備えている。しかしながら、異なるフィルタ構成要素１をフィルタアセンブリ１００において使用することも可能である。フィルタアセンブリ１００のフィルタ構成要素１が次から次へと（連鎖状に）配置されているため、これらフィルタ構成要素１は、導線、例えばケーブル、（堅固な）母線又は他の導電手段を共通の開口部を通して延在させるために、共通の開口部を有する大型のトロイダルコアを形成している。図示のフィルタアセンブリ１００すなわち第１のフィルタ構成要素１及び第２のフィルタ構成要素１は、フィルタアセンブリ１００のために使用される。
【００４０】
フィルタ構成要素１は、トロイダルコア２及びトロイダルコアケーシング３を有している。
【００４１】
ここでは、トロイダルコア２は中央の開口部を有する環状で直線状の中空円筒として成形されている。しかしながら、本発明はこのような環状の形状に限定されるわけではない。その代わり、導線を巻線なしに延在させるように設計された中央の開口部を有する各コアの形状がトロイダルコアにとって可能である。トロイダルコア２の中央の開口部は、開口部を有するトロイダルコア２の２つの側に対して好ましくは垂直に配置された直線状の長手方向の軸線８を有している。トロイダルコア２は、環状の形状の代わりに、だ円形の、正方形の、多角柱形の、多角形の、一般的な又は他の部分を有することも可能である。好ましくは、直線状の中空円筒、例えば中空円筒の内側及び外側の表面が基面上に垂直に位置する。しかしながら、傾斜した中空円筒も可能である。この実施例におけるトロイダルコア２は閉じられている。このトロイダルコア２は、開放して形成されることも可能である。すなわち、開口部を包囲するトロイダルコア２における閉路がない。トロイダルコア２は、磁性材料、好ましくは強磁性材料で構成されている。
【００４２】
トロイダルコアハウジング３は、トロイダルコア２のためのハウジングである。トロイダルコアハウジング３は、好ましくは電気的な絶縁材料で構成されている。トロイダルコアハウジング３は、トロイダルコア側４と、このトロイダルコア側４とは反対のトロイダルコア背側５と、第１の固定側６と、第２の固定側７とを有している。トロイダルコア側４は、図３において平面図で示されており、図１において斜視図で示されている。トロイダルコア背側５は、図２において斜視図で示されている。第１の固定側６は、図５において平面図で示されており、図２において斜視図で示されている。第２の固定側７は、図６において平面図であり、図１において斜視図で示されている。この実施例において、トロイダルコア側４及びトロイダルコア背側５は、互いに平行に配置されている。他の実施例では、トロイダルコア側４及びトロイダルコア背側５は、トロイダルコアハウジング３を積み重ねることができる角度を形成することが可能である。したがって、このようにして好ましくはトロイダルコア２の開口部の共通の長手方向の軸線が達成される。この実施例では、固定側６は、第２の固定側７の反対側に配置されており、好ましくはこれに対して平行となっている。しかしながら、第２の固定側７は、これとは異なるように配置されるか、又は完全に省略されることが可能である。この実施例では、第１の固定側６は、トロイダルコア側４及び／又はトロイダルコア背側５に対して垂直に配置されている。この実施例では、トロイダルコア２の開口部の長手方向の軸線８に対しても平行となっており、その結果、トロイダルコアハウジングが平坦な固定要素に固定されている場合にはトロイダルコア２の開口部の長手方向の軸線８が平坦な固定要素に対して（その固定面について）平行に延在している。図４にはトロイダルコアハウジング３の２つの側のうち一方が示されており、この側は、この実施例では上述した４つの側に加えて直方体の第５及び第６の側を形成するものである。しかしながら、第５及び第６の側は、機能を有さないとともに、異なるように形成されることも可能である。トロイダルコア側４及びトロイダルコア背側５の高さ及び幅並びに他の４つの側の長さは、トロイダルコア２の断面よりも大きい。他の４つの側の幅は、トロイダルコア２の厚さ、すなわちトロイダルコア２の開口部の長手方向の軸線８の方向における寸法よりも大きいか、又はこれに相当する。
【００４３】
トロイダルコアハウジング３の第１の固定側６は、第１の固定側６を有するトロイダルコアハウジング３を固定要素へ固定するための固定手段を有している。ここでは、２つの固定孔１３は、固定手段として設けられ、好ましくは第１の固定側６の長手側の２つの端部及び／又は第１の固定側６の狭い側に関する中央部に配置されている。これら固定孔１３は、リベット及び／又はナットを収容するように設定されている。この効果のために、固定孔１３の後方に中空空間が設けられており、この中空空間内では、リベットが固定孔１３の後方へ延びることができる。これに代えて、又はこれに加えて、固定孔１３の中空空間は、ナットを収容するように設定されており、その結果、トロイダルコアハウジング３を螺設することが可能である。例えばトロイダルコア背側からナットを挿入することが可能である。好ましくは、中空空間は、回転留め手段及び／又はナットの位置を固定する手段を有している。好ましくは、平坦な固定要素にトロイダルコアハウジング３を固定するために固定側は平坦に設定されている。この実施例では、第１の固定側６の設置面積が４つの脚部１４によって増大され、これら脚部は、第１の固定側６としての同一の平面内でトロイダルコア側４及びトロイダルコア背側５から突出部として延出されている。これにより、トロイダルコアハウジング３の設置面積を増大させることが可能である。１つのみのトロイダルコアハウジング３又は少数のトロイダルコアハウジング３が固定されている場合には特に有利である。この実施例において、２つの脚部１４がトロイダルコア側４に配置され、２つの脚部１４がトロイダルコア背側５に配置されている。トロイダルコア側４の脚部１４は、トロイダルコア背側５の脚部１４に対してずらして配置されている。このことが図５、図６及び図９に明確に示されている。同時に、トロイダルコア背側５の脚部の位置の反対側で脚凹部１５がトロイダルコア側４に設けられているとともに、トロイダルコア側４の脚部の位置の反対側で脚凹部１５がトロイダルコア背側５に設けられている。各脚凹部１５は、脚部１４を収容するように適合されている。したがって、トロイダルコア側４を有する２つのフィルタ構成要素１を第２のフィルタ構成要素１のトロイダルコア背側５に直接配置することが可能である。したがって、第２のフィルタ構成要素１のトロイダルコア背側５の脚部１４は、第１のフィルタ構成要素１のトロイダルコア側４の脚凹部１５内に完全に収容される（図５参照）。したがって、第１のフィルタ構成要素１のトロイダルコア側４を、平坦かつ第２のフィルタ構成要素１のトロイダルコア背側５に対して面一に配置することが可能である。図示の実施例では、第１の固定側６は、ここでは２つの、少なくとも１つの突出部を有することができ、この突出部は、取り付けられた状態において固定要素における対応して形成された凹部に係合する。この突出部は、固定要素上での正しい方向においてのみハウジングが固定され得るように設定されている。ここで、このことは、Ｉ字状の突出部及びＸ字状の突出部によって達成される。しかし、他の形状の突出部であってもよい。この原理は、ポカヨケとも呼ばれる。
【００４４】
トロイダルコアハウジング３の第２の固定側７も、フィルタアセンブリ１００ごとにフィルタ構成要素１にフィルタの別の構成要素を固定するために固定手段を有している。ここで、２つの固定孔２０は、固定手段として設けられており、好ましくは第１の固定側６の長手側の両端部及び／又は第１の固定側６の狭い側に関するほぼ中央に配置されている。固定孔２０は、リベットを収容するように設定されている。この効果のために、固定孔２０の後方に中空空間が設けられており、この中空空間内では、リベットが固定孔２０の後方へ延びることができる。したがって、フィルタアセンブリ１００は、フィルタ構成要素１の第２の固定側７を用いて少なくとも４つの固定点を有する固定面を形成する。その結果、フィルタアセンブリ１００上には更なる構成要素を特に安定した形態で固定することが可能である。同時に、フィルタアセンブリのフィルタ構成要素１は、この固定具を用いて互いの間で安定化される。この実施例では、第２の固定側７が平坦に形成されている。固定孔２０は、第２の固定側７からの対応する突出部に配置されている。それゆえ、更なる構成要素のスペースをとった固定が達成され、したがって、トロイダルコア２からから更なる構成要素への熱伝達が回避される。しかしながら、第２の固定側７は、任意であり、本発明にとって本質的なものではない。
【００４５】
トロイダルコアハウジング３のトロイダルコア側４は、トロイダルコア２の挿入及び収容のための孔を有している。この孔の形状は、トロイダルコアの長手方向の軸線８に対して垂直な面上のトロイダルコア２の突出部に対応する（直線状の中空円筒のために、これは、中空円筒の基礎範囲に関する部分に対応している）。さらに、トロイダルコアハウジング３は、トロイダルコア側４からトロイダルコア背側５へ延びる開口部を有している。この実施例では、トロイダルコアハウジング３の開口部の長手方向の軸線は、トロイダルコア２の開口部の長手方向の軸線８と同一である。他の実施例では、これら２つの軸線は、互いに平行に、又はわずかに角度をもってのみ配置されることも可能である。この実施例では、トロイダルコアハウジング３の開口部の部分は環状となっている。しかしながら、トロイダルコアハウジング３の開口部の部分は、他の形状を有することも可能である。トロイダルコア２の挿入及び収容のための孔は、外壁部１１、背壁部１０及び内壁部９を有している。外壁部１１は、トロイダルコア２の外側（ここでは中空円筒の外壁部）を覆っている。内壁部９は、トロイダルコア２の内壁部（ここでは中空円筒の内壁部）を覆っている。背壁部１０は、トロイダルコア２の背側（ここでは中空円筒の基礎範囲の１つ）を覆っている。この実施例では、トロイダルコアハウジング３又は少なくとも内壁部９、背壁部１０及び外壁部１１は、電気的に絶縁性の材料で構成されている。したがって、トロイダルコア２は、これら３つの側で互いに絶縁されている。
【００４６】
さらに、トロイダルコアハウジング３は、スナップオン機構又はスナップフィット機構を有しており、この機構は、トロイダルコア２がトロイダルコアハウジング３に挿入されるときに開放し、トロイダルコア２の位置が達成されるときにスナップ閉鎖（ｓｎａｐ  ｓｈｕｔ）するように設定されている。スナップオン状態では、スナップオン機構が嵌合によってトロイダルコア２をその位置に保持する。この実施例では、スナップオン機構は、トロイダルコア側４の孔内に配置されている。この実施例では、スナップオン機構は、少なくとも１つのスナップオンレバー１２によって形成されている。この実施例では、４つのスナップオンレバー１２が用いられているが、２つ、３つ、５つ又はそれより多くのスナップオンレバー１２又は他のスナップオン機構を用いてもよい。この実施例において、スナップオンレバー１２は、トロイダルコアの外周に分配されている。これに代えて、これらスナップオンレバーを内周又は内周及び外周にわたって分配することも可能である。各スナップオンレバー１２は、トロイダルコアハウジング３におけるてこの支点、好ましくは外周部１１に固定されている。このてこの支点は、好ましくはできる限り長いレバーを達成するために、トロイダルコア側４の方向よりもより背壁部１０の方向へ配置されている。てこの支点とは反対側のレバーアームの側において、スナップオンレバー１２はレバーヘッド部を有している。スナップ留めされた位置におけるレバーヘッドは、トロイダルコアハウジング３でスナップ留めされたトロイダルコア２を阻止するとともに、開口部の長手方向及び／又はトロイダルコア側４の法線の方向への移動を防止するものである。この実施例において、スナップオンレバー１２のレバーヘッド部は、トロイダルコア２が（孔における）トロイダルコアハウジングにおけるその位置へ挿入される場合に開口位置へ移動するように設定されている。このことは、トロイダルコア２の中心部の方向における下方へ傾斜する面によって達成される。レバーヘッド部の適度な整列のおかげで、挿入時に、傾斜した面へ押圧するトロイダルコア２は、開口位置における他方のものから離れてスナップオンレバー１２を押圧する。これにより、トロイダルコア２によって、挿入時にスナップオン機構を自動的に開放することが可能である。この実施例では、複数の陥没部（ｉｎｄｅｎｔａｔｉｏｎ）がスナップオンレバー１２の範囲における外壁部に設けられており、これら陥没部によって、係合位置からトロイダルコア２が挿入される開放位置へのスナップオンレバー１２の移動の自由が可能とされる。これに代えて、外壁部１１とトロイダルコア２の外側の間の距離は、スナップオンレバー１２が陥没させることなくトロイダルコアハウジングの開口部の長手方向の軸線に対して径方向に移動する十分な自由を有し得るほど大きく設定することもできる。４つのスナップオンレバー１２のうち２つは、図８におけるＢ−Ｂ断面において特に良好に示されている。したがって、スナップ留めされたスナップオンレバー１２及び孔の背壁部１０は、挿入方向におけるトロイダルコアの移動と、トロイダルコア２の脱落を防止するものである。したがって、この移動方向に対して垂���な、すなわちこれに対して径方向の移動が防止され、この方向においては、トロイダルコアの内側が内壁部９と面一になっている。トロイダルコアの公差は、内壁部における複数のクリンプリブによって吸収される。したがって、単純な係合により内壁部の長手軸線に対して径方向へのトロイダルコア２の移動が防止される。したがって、スナップ留めされたトロイダルコア２は、容易に組み付けられるとともに、トロイダルコアハウジング３の互いの位置に強固に保持される。トロイダルコア背側５には、背壁部１０がスナップオンレバー１２の範囲において入り込んでいる。したがって、トロイダルコア２をトロイダルコアハウジングから再び取り外すために、スナップオンレバー１２を、例えば同時に特別な工具を用いて開放することができる。同時に、これら開口部により、トロイダルコア２をトロイダルコアハウジング３から取り外すために、トロイダルコア背側５からトロイダルコア側４の方向へトロイダルコア２に圧力を及ぼすことが可能である。これは、トロイダルコアが損傷し、交換する必要がある場合に必要となり得るものである。
【００４７】
トロイダルコアハウジング３のトロイダルコア側４は、この実施例において少なくとも１つの突出部１６を更に備えており、この突出部は、トロイダルコア背側５における対応する凹部１９の反対側に配置されている。フィルタ構成要素グループ１００では、第１のフィルタ構成要素のトロイダルコア側４の突出部１６は、第２のフィルタ構成要素１のトロイダルコア背側５の凹部１９に係合する。これにより、フィルタアセンブリ１００のフィルタ構成要素１が互いに一方向においてのみ配置されることを達成することが可能である。トロイダルコア側４及びトロイダルコア背側５のいずれかに関しての選択が突出部を含むか、又は対応する凹部は重要でない。これに代えて、この機能を、脚部１４及び脚凹部１５によって達成することも可能である。この実施例では、フィルタ構成要素のトロイダルコア側４は、トロイダルコア背側５に設けられた係合凹部１８の反対側に配置された１つ又は複数のスナップ係合要素１７を更に有している。スナップ係合要素１７は、２つのフィルタ構成要素１が正しい位置で互いに対して押圧される場合に第２のフィルタ構成要素１のトロイダルコア背側５の係合凹部１８内へ係合するように設定されている。係合した状態では、フィルタアセンブリ１００の少なくとも２つのフィルタ構成要素１が互いに固定されるとともに、閾値を超過する力によって引き離される２つのフィルタ構成要素１によって分離され得るのみである。したがって、フィルタアセンブリ１００は、個々のフィルタ構成要素１が固定要素に固定されるまでその相対位置に保持される必要なく任意の数のフィルタ構成要素１と容易に連結されることが可能である。図９には、スナップ係合要素１７及び係合凹部１８を通るフィルタアセンブリ１００の断面が示されている。好ましくは、これらスナップ係合要素１７のうち２つがトロイダルコア側４に配置されている。好ましくは、２つのスナップ係合要素１７は、それぞれ第１の固定側６の反対側の第２の固定側７の方向においてトロイダルコア側４に設けられている。このように、他の構成要素がフィルタアセンブリ１００に固定されていないか、又は第２の固定側７が存在しないとしても、フィルタアセンブリ１００におけるフィルタ構成要素１は第１の固定側６に対して相対的に互いに保持される。
【００４８】
この実施例では、内壁部９がトロイダルコアハウジング３のトロイダルコア側４を越えてやや突出している。この突出した範囲には、内壁部９で形成された円すい体がその径において連続的に又は段階的に先細となっている。トロイダルコア背側５は、内壁部９のこの先細にされた円すい体を収容するための収容凹部を有している。この収容凹部は、ここでは内壁部９によっても形成されている。トロイダルコアハウジング３における導線を延在させるための開口部が内壁部９によっても形成されているため、先細にされた内壁部９が第２のフィルタ構成要素１のトロイダルコア背側５における内壁部９における第１のフィルタ構成要素１のトロイダルコア側４でかみ合うことで、トロイダルコアハウジング３の開口部が他のものと整列することを達成することが可能である。
【００４９】
図１０には、フィルタ、例えばＥＭＣ（電磁環境適合性）フィルタの概略的な配置が示されている。フィルタは、固定要素１０２に固定されている。フィルタは、任意の中間プレート１０１、複数のフィルタ構成要素１を有するフィルタアセンブリ１００、任意の更なる構成要素１０３と、導線１０４とを有している。フィルタアセンブリ１００は中間プレート１０１に固定されており、後者は、固定要素１０２に固定されている。フィルタアセンブリ１００の組み立てられたフィルタ構成要素１は、中間プレート１０１又は固定要素１０２にリベット留めされている。この目的のために、各フィルタ構成要素１の２つの固定孔１３を通してリベットが挿入され、固定される。これに代えて、ネジ及び他の固定手段を用いることも可能である。任意で、更なる構成要素１０３がフィルタアセンブリ１００に固定される。この効果のために、更なる構成要素１０３は、フィルタアセンブリ１００のフィルタ構成要素１の固定孔２０を介してリベット留めされるか、又は他の方法で固定される。更なる構成要素１０３は、フィルタアセンブリ１００のフィルタ構成要素１を互いに安定させるのに役立ち得る。したがって、フィルタアセンブリ１００は、フィルタされる導線１０４なしに前もって固定されている。１つ又は複数の導線１０４は、一端においてフィルタアセンブリ１００の開口部すなわちトロイダルコア２及びフィルタ構成要素１のトロイダルコアハウジング３の開口部を通して延在することができる。導線１０４に巻線を有さないトロイダルコア２を固定することはもはや不要である。したがって、導線１０４への巻線を有さないトロイダルコア２の面倒な固定を省略することが可能である。しかしながら、同時に、巻線を有さないトロイダルコア２が固定される。導線は、ケーブル又は堅固な母線であり得る。堅固な母線である場合には、この母線を固定要素１０２又は中間プレート１０１に固定することも有利であり、その結果、母線がトロイダルコア２に対する相対的な位置で堅固なものとなっている。これに代わる実施例では、フィルタアセンブリ１００は唯一のフィルタ構成要素１も有することが可能である。
【００５０】
本発明の１つの利点は、それぞれのトロイダルコア２についてフィルタ構成要素１への導線の手間のかかる固定が不要となることにある。
【００５１】
他の利点は、組立、サイズについての変更及びフィルタアセンブリ１００の固定が特に容易であることである。フィルタアセンブリ１００のフィルタ構成要素１の数は、巻線を有さないトロイダルコア２の必要なサイズに応じて選択される。各フィルタ構成要素のために、トロイダルコア２がトロイダルコアハウジング３へ挿入される。全ての構成要素は、所望のサイズのトロイダルコアとなるように互いに接続される（積み重ねられる）。組み立てられたフィルタアセンブリ１００を固定すること、及びフィルタアセンブリ１００の開口部を通して導線１０４を延在させることのみが必要である。
【符号の説明】
【００５２】
１            フィルタ構成要素
２            トロイダルコア
３            トロイダルコアハウジング
４            トロイダルコア側
５            トロイダルコア背側
６            第１の固定側
７            第２の固定側
８            長手方向の軸線
９            内壁部
１１          外壁部
１２          スナップオンレバー
１４          脚部
１５          脚凹部
１７          スナップ係合要素
１８          係合凹部
１０２        固定要素
１０４        導線
【図１】
0006549939.tif 000002
【図２】
0006549939.tif 000003
【図３】
0006549939.tif 000004
【図４】
0006549939.tif 000005
【図５】
0006549939.tif 000006
【図６】
0006549939.tif 000007
【図７】
0006549939.tif 000008
【図８】
0006549939.tif 000009
【図９】
0006549939.tif 000010
【図１０】
0006549939.tif 000011